(57)【要約】【課題】傘を折り畳んで縛る時、緩く楽に縛れる様にすることであり、傘を差している時、雨で濡れた縛り紐が頭に当らない様にすることである。【解決手段】縛り紐２が傘に連結する部分３から一定長さの縛り紐の部分Ｈを剛性を高めた構造とした。【選択図】図１
2013039337.tif 000002
【特許請求の範囲】
【請求項１】
縛り紐が傘に連結する部分から一定長さの縛り紐の部分を剛性を高めた構造とした事を特徴とする傘の縛り紐。
【請求項２】
傘の柄の所定部に親指を当てて柄を回す突出部を複数個形成した請求項１記載の傘の縛り紐。
【発明の詳細な説明】
【技術分野】
【０００１】本発明は雨が止んで傘を折り畳む時、傘を縛る縛り紐に関する。
【背景技術】
【０００２】雨が止んで傘を折り畳んだらこれを縛る縛り紐があるが、この縛り紐はできる限り長さを短かくする構成となっている為、相当力を入れてきつく縛る必要があり、しんどさを感じる（傘も傷み易い）。もっと縛り紐を長くして緩く縛れる様にすれば縛り易く傘も傷まないはずである。
又、雨に濡れた傘を折り畳んで縛り紐で縛る時、前述の様に相当力を入れてきつく縛る必要がある為、傘の柄と縛り紐だけを手に持って縛る事は不可能であり、従ってどうしても雨に濡れた傘布の部分を手に持って縛らなければならず、手が濡れて嫌なものである。更に傘を差している時、雨に濡れた縛り紐が頭に当ってうっとうしさを感じるが、この縛り紐を短かくすれば上述の様に傘を折り畳んで縛る時、短かい縛り紐では傘を縛れなくなる可能性がでて来る。
【発明の開示】
【発明が解決しようとする課題】
【０００３】本発明の目的は、傘を折り畳んで縛り紐で縛る時、緩く楽に縛れる様にすることであり、この為には縛り紐を長くする必要があるが、こうしても傘を差している時に雨で濡れた縛り紐が頭に当って不快感を感じさせない様にすることである。第２の目的は、傘の柄と縛り紐だけを手に持って折り畳んだ傘を縛れる様にすることである。
【課題を解決する為の手段】
【０００４】本発明は上記目的を達成する為、縛り紐が傘に連結する部分から一定の長さの縛り紐の部分を剛性を高めた構造とした。又、傘の柄の所定部に親指を当てて柄を回す突出部を複数個形成した。
【発明の効果】
【０００５】本発明によれば、傘を折り畳んで縛り紐で縛る時に緩く縛れるので、縛り易く傘も傷まない。一方、縛り紐を従来より長くしてあるが、傘を差している時、雨で濡れた縛り紐の垂れ下りが僅かなので、頭に当ることがなく、不快な思いをする事がない。又、傘の柄と縛り紐だけを手に持って折り畳んだ傘を縛る事ができ、手が濡れて不快な思いをすることがない。
【発明を実施する為の形態】
【０００６】図１（イ）は本発明による傘の縛り紐を示したもので、縛り紐２を拡大して図１（ロ）に描いてある。縛り紐２が傘に連結する部分３から一定長さの縛り紐の部分Ｈを剛性を高めた構造としてある。即ち、縛り紐の部分のｈの部分は従来通り傘を良く縛れる様に柔らかくできており、Ｈの部分は剛性を高めた構造としてある。具体的にはＨの部分に合成皮革を縫い付ける。軟質塩化ビニール樹脂・ナイロンなどの薄板を芯として入れる。
更にはＨの部分を三重（四重）にして縫い付ける、などの方法がある。
そしてＨの部分は方向Ａ（傘の軸心回りの方向）を向いている様にしてある。
こうすると、Ｈの部分は縛り紐２の全重量が加わっても曲がらず（ｙ方向には曲らない。但し、ｘ方向には曲がり易い）、Ａ方向を維持する。この為、図１（イ）の様に縛り紐２は僅かしか傘布１の縁を越えて垂れ下らず、頭には当らない（従来では図２の様に縛り紐が傘に連結する部分３の近傍から垂れ下り、Ｓが７ｃｍ位垂れ下り、頭に当って不快であった）。Ｈを７ｃｍとし、縛り紐２の全長（Ｈ＋ｈ）を従来よりも３ｃｍ長くすれば、傘を縛る時はこの分緩く縛れるので、縛り易く傘も傷まない。一方ＳはＨ−３だけ、つまり４ｃｍ短かくなるので、僅かとなり、頭に当ることはない。尚、図１（ロ）においてはＨの部分はｙ方向には曲りにくいがｘ方向には曲り易いので、傘を縛り易いのは従来通りである。ここでｘ方向に更に良く曲り易くするには、図１（ハ）の様に穴５を形成するのが良い（ｙ方向には曲りにくいのは変わらない）。
次に図２において縛り紐の垂れ下りＳを短かくする他の方法としては、傘使用時に縛り紐を１／２、又は１／３の長さに折り畳んでおく方法が考えられる。即ち、図１（ニ）の様に縛り紐２′の先端部に結合具６（例えば面ファスナー）を備えるか、図１（ヘ）の如く縛り紐２′の先端部から全長の１／３の部分に結合具６（面ファスナー）を備えるのである（これらの面ファスナー６は縛り紐２′の裏表に備えると、縛り紐２′が傘に連結する部分３に備えられた結合具――面ファスナーなど――に結合させる際に結合が容易になる）。こうすると図１（ホ）の如く縛り紐２′の長さはほぼ１／２に、図１（ト）の如く縛り紐２′の長さはほぼ１／３となる。更に同じ目的の為に、図１（チ）の如く縛り紐２′の所定部（例えば先端部）に面ファスナーなどの結合具を備えておき、これを傘布の所定位置に備えられた面ファスナー７に結合させて、縛り紐２′の垂れ下りを防ぐ事が考えられる（面ファスナー７は傘布１の表又は裏面に備える）。
次に図３（イ）において傘の柄４の所定部には突出部８が備えられており（突出部８は例えば４個、図３（ロ）の如く柄４を握りながら親指を突出部８に当てて柄４を回しつつ、折り畳んだ柄を縛り紐２（２′）で縛る様にするのである（突出部８がある為、柄を回し易い）。この場合、傘の重量を縛り紐２に掛け柄４は単に支えるだけにすると、柄を回す時に軽く回す事ができる。以上により傘の柄４と縛り紐２だけを手に持って折り畳んだ傘を縛れるので、手が濡れない。尚、図３（イ）においては柄４全体を突出部８を有する断面としても良い。
【０００７】一般にシーツや毛布などの大型の洗濯物は物干し竿に掛けて干すが、大きなスペースを取り、他の洗濯物が余り干せなくなる。シーツなどの大型の洗濯物をジグザグ状に干すびょうぶ干しにすればコンパクトに干せるが、この方法は面倒である。以上を解決するには図４に示すシーツ（毛布）干し器を使用するのが良い。即ち図４において、シーツ（毛布）干し器は洗濯物を掛ける互いに平行な複数の（図では２本）掛け棒９と、掛け棒９を支持する支持部材１２とから成り、掛け棒９に回転自在のローラー１０を備えてある。１１は物干し竿に掛けるフックである。使い方を図５（イ）において説明すると（これは図４をＢ方向から見た図である）、洗濯したシーツ（毛布）を縦に２つに折り、図５（イ）の様にローラー１０に跨がせて掛け、図５（ロ）の様に２つのローラー１０間に腕を入れて下方へ落ろすと、ローラー１０は回転できるので、シーツ（毛布）の中央部が下がり、図５（ハ）の様にＭ字形となり、これで終了である。最後に竿ピンチでシーツ（毛布）を留めておくのが良い。セーターも図５（ハ）の様にＭ字形に干す事ができ、これにより型崩れが防がれ、セーター専用の平干し器も不要である。
ローラー１０を３本とすれば図５（ニ）の如く干す事ができる。尚、図４の矢印Ｄ部の拡大断面図を示す図５（ホ）の様にローラー１０を上方に押し上げ（ローラー１０と掛け棒９とのガタに相当する分だけ押し上げる――このガタをもっと大きくするには図５（ヘ）の如く掛け棒９に欠円部を形成するのが良い）、掛け棒９の挿入部１３に嵌め込むと、両者間の摩擦力によりローラー１０を固定する事ができる。
【０００８】犬などのペットを散歩させている時、首輪に付いている紐をその方向に引っ張って歩く方向を変えさせるが、なかなか従わず困ることがある。又、車などが現われて危険な時や、人に迷惑をかけそうな緊急時にはその様な方法では間に合わない。そこで最近ではペットに衣服を着せて歩く人が多いので、これに下げ手を付けてペットを持ち上げて解決する方法が考えられる。
即ち図６（イ）において１４はペット用衣服で、これにしっかりと縫い付けられた下げ手１５を付けておくのである。飼い主の言う事を聞かずペットがその場に立ち止まっていたり、他の方向へ歩こうとする時、車などが現れて危険な時、人に迷惑をかける恐れがある時などは図６（ロ）の様に下げ手１５を持ってペットを持ち上げ、少し離れた所で落ろせばペットは素直に大人しくなって飼い主の言う事を聞き、従う様になる（首輪に付いた紐を必死で引っ張る必要はない）。
【図面の簡単な説明】
【０００９】
【図１】本発明による傘の絞り紐を示す図
【図２】従来の傘の縛り紐を示す図。
【図３】傘の柄と縛り紐だけを持って傘を縛る図。
【図４】シーツ（毛布）干し器を示す図。
【図５】シーツ（毛布）干し器の使用法を示す図。
【図６】下げ手付ペット用衣服を示す図。
【符号の説明】１は傘布、２・２′は縛り紐、３は縛り紐が傘に連結する部分、４は傘の柄、５は穴、６・７は結合具、８は突出部、９は掛け棒、１０はローラー、１１はフック、１２は支持部材、１３は挿入部、１４はペット用衣服、１５は下げ手である。
【図１】
2013039337.tif 000003
【図２】
2013039337.tif 000004
【図３】
2013039337.tif 000005
【図４】
2013039337.tif 000006
【図５】
2013039337.tif 000007
【図６】
2013039337.tif 000008